(57)【要約】【課題】門柱の製造コストを低減できる技術を提供する。【解決手段】門柱１は、第１支柱１０と、第２支柱２０と、第１支柱１０と第２支柱２０との間に設けられる前面パネル３０および背面パネル４０と、第１支柱１０、第２支柱２０、前面パネル３０および背面パネル４０に囲まれる空間７０の上側の開口を覆う天板と、を備える。第１支柱１０、第２支柱２０はそれぞれ、支柱本体と、支柱本体に固定されるパネル保持部材と、を含む。第１支柱１０および第２支柱２０の各パネル保持部材は、前面パネル３０および背面パネル４０を保持するための保持構造を有する。【選択図】図５
2019178595.tif 000002
【特許請求の範囲】
【請求項１】
第１、第２支柱と、
前記第１、第２支柱の間に設けられる第１パネルと、
前記第１パネルと間隔をあけて設けられる第２パネルと、
前記第１支柱、前記第２支柱、前記第１パネルおよび前記第２パネルに囲まれる空間の上側の開口を覆う天板と、
を備え、
前記第１、第２支柱はそれぞれ、
支柱本体と、
前記支柱本体に固定されるパネル保持部材と、
を含み、
前記第１、第２支柱の各パネル保持部材は、前記第１、第２パネルを保持するための保持構造を有することを特徴とする門柱。
【請求項２】
前記第１、第２支柱は、ホロー材で、互いに対向する面の一部が切り欠かれており、
前記第１、第２支柱の各パネル保持部は、前記第１、第２支柱の切り欠き部分に嵌合されていることを特徴とする請求項１に記載の門柱。
【請求項３】
前記第１、第２支柱の各パネル保持部材には、互いに対向する面に、上下に延びる、上端が開口し下端が塞がった溝が形成されており、
前記第１パネルは、水平方向における両端がそれぞれ、前記第１、第２支柱の各パネル保持部材の各溝に収容されていることを特徴とする請求項１または２に記載の門柱。
【請求項４】
前記溝は、他の部分よりも幅狭な幅狭部を有し、
前記幅狭部の幅は、設計上、前記第１パネルの幅よりも狭いことを特徴とする請求項３に記載の門柱。
【請求項５】
前記第１パネルを照射するための照明装置をさらに備え、
前記照明装置は、複数の部材によって移動が規制されることにより保持されることを特徴とする請求項１から４のいずれかに記載の門柱。
【発明の詳細な説明】
【技術分野】
【０００１】
本発明は、門柱に関する。
【背景技術】
【０００２】
玄関先に設置される門柱が知られている。従来では、表札、インターホンおよびポストなどを備えた門柱が提案されている（例えば特許文献１）。
【先行技術文献】
【特許文献】
【０００３】
【特許文献１】特開２０１３−２１３３２４号公報
【発明の概要】
【発明が解決しようとする課題】
【０００４】
本発明者達は、鋭意検討した結果、門柱の製造コストを低減できる方法に相当するに到った。
【０００５】
本発明はかかる状況に鑑みてなされたものであり、そのある態様の目的のひとつは、門柱の製造コストを低減できる技術を提供することにある。
【課題を解決するための手段】
【０００６】
上記課題を解決するために、本発明のある態様の門柱は、第１、第２支柱と、第１、第２支柱の間に設けられる第１パネルと、第１パネルと間隔をあけて設けられる第２パネルと、第１支柱、第２支柱、第１パネルおよび第２パネルに囲まれる空間の上側の開口を覆う天板と、を備える。第１、第２支柱はそれぞれ、支柱本体と、支柱本体に固定されるパネル保持部材と、を含み、第１、第２支柱の各パネル保持部材は、第１、第２パネルを保持するための保持構造を有する。
【発明の効果】
【０００７】
本発明によれば、門柱の製造コストを低減できる。
【図面の簡単な説明】
【０００８】
【図１】実施の形態に係る門柱を前方から見た斜視図である。
【図２】門柱の上部を前方から見た斜視図である。
【図３】門柱の上部を後方から見た斜視図である。
【図４】門柱の上面図である。
【図５】水平面で切断した門柱の断面図である。
【図６】図６（ａ）、（ｂ）は、門柱の第１支柱の上側部分を示す斜視図である。
【図７】図７（ａ）〜（ｃ）は、との当接部分を示す図である。
【図８】図１の門柱の上側部分の鉛直断面図である。
【図９】図９（ａ）、（ｂ）はそれぞれ、第１パネル保持部材の背面パネル差込溝を示す図である。
【図１０】門柱の上側部分の鉛直断面図である。
【図１１】天板および照明装置を下方から見た斜視図である。
【図１２】図１２（ａ）、（ｂ）は、第１パネル保持部材とカバーとを示す斜視図である。
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。また本明細書において、「左」、「右」はそれぞれ、門柱を正面から見た左、右である。
【００１０】
図１〜５は、実施の形態に係る門柱１を示す図である。図１は、門柱１を前方から見た斜視図であり、図２は、門柱１の上側部分を前方から見た斜視図であり、図３は、門柱１の上側部分を後方から見た斜視図であり、図４は、門柱１の上面図であり、図５は、水平面で切断した門柱１の断面図である。図２、４では天板５０の表示を省略している。また図３では天板５０および背面パネル４０の表示を省略している。図６（ａ）、（ｂ）は、門柱１の第１支柱１０の上側部分を示す斜視図である。ここでは、２つの支柱のうちの第１支柱１０を代表して示している。
【００１１】
門柱１は、いわゆる機能門柱であり、第１支柱１０と、第１支柱１０と左右に離間して配置される第２支柱２０と、第１支柱１０と第２支柱２０との間に設けられる前面パネル３０と、前面パネル３０の背面（後方）側に離間して設けられる背面パネル４０と、第１支柱１０、第２支柱２０、前面パネル３０および背面パネル４０で囲まれる空間の上側の開口を覆う天板５０と、表札６０と、インターホン６２と、照明装置６４と、ポスト機能付きの宅配ボックス６６と、を備える。
【００１２】
第１支柱１０は、第１支柱本体１２と、第１パネル保持部材１４と、を含む。
第２支柱２０は、第２支柱本体２２と、第２パネル保持部材２４と、を含む。
【００１３】
第１支柱本体１２は、本実施の形態ではアルミニウム製の押出形材であり、角管状に形成されている。つまり、第１支柱本体１２はホロー形材である。第２支柱本体２２は、第１支柱本体１２と実質的に同一の（つまり、形状、寸法、および素材が設計上同じ）部材である。第１支柱本体１２と第２支柱本体２２は、所定の間隔をあけて立設されている。
【００１４】
第１パネル保持部材１４は、樹脂製であり、略直方体状の所定の形状に形成される。第１パネル保持部材１４は、第１支柱本体１２の上端側に固定される。具体的には、第１支柱本体１２は第２支柱２０側の面１２ａの一部、図示の例では上端側部分が切り欠かれており、第１パネル保持部材１４はその切り欠き部分に嵌合されている。
【００１５】
第２パネル保持部材２４は、左右対称である点を除いて第１パネル保持部材１４と同様に構成される。第２パネル保持部材２４は、第２支柱本体２２は第１支柱１０側の面の一部、図示の例では上端側部分が切り欠かれており、第２パネル保持部材２４はその切り欠き部分に嵌合されている。
【００１６】
第１パネル保持部材１４および第２パネル保持部材２４は、前面パネル３０および背面パネル４０を保持するための保持構造を有する。
【００１７】
第１パネル保持部材１４には、保持構造として、上下に延びる前面パネル差込溝１４１と背面パネル差込溝１４２とが、前後に所定の間隔をあけて形成されている。前面パネル差込溝１４１は、背面パネル差込溝１４２よりも前側に形成されている。前面パネル差込溝１４１および背面パネル差込溝１４２はいずれも、上端は開口し、下端は塞がっている。同様に第２パネル保持部材２４には、保持構造として、上下に延びる前面パネル差込溝２４１と背面パネル差込溝２４２とが、前後に所定の間隔をあけて形成されている。前面パネル差込溝２４１および背面パネル差込溝２４２はいずれも、上端は開口し、下端は塞がっている。背面パネル差込溝２４２と前面パネル差込溝２４１とが左右方向で対向し、背面パネル差込溝１４２と背面パネル差込溝２４２とが左右方向で対向する。
【００１８】
前面パネル３０は、本実施の形態ではアルミニウム製の押出形材であり、正面視で（すなわち前から見て）略矩形状の板状に形成される。前面パネル３０は、左右の両端部が前面パネル差込溝１４１，２４１に収容されることにより、第１パネル保持部材１４および第２パネル保持部材２４に保持される。具体的には前面パネル３０は、左右の両端部が前面パネル差込溝１４１，２４１にそれらの上端開口から差し込まれ、下方にスライドされる。そして前面パネル３０は、左右の両端部が前面パネル差込溝１４１，２４１の下端に載置されることにより、第１パネル保持部材１４および第２パネル保持部材２４に保持される。なお前面パネル３０は、後述するように、ネジにより各パネル保持部材に固定される。
【００１９】
背面パネル４０は、本実施の形態ではアルミニウム製の押出形材であり、正面視で略矩形状の板状に形成される。背面パネル４０は、前面パネル３０との間に間隔をあけて設けられる。背面パネル４０は、左右方向の両端部がそれぞれ第１パネル保持部材１４の背面パネル差込溝１４２、第２パネル保持部材２４の背面パネル差込溝２４２に収容されることにより、第１パネル保持部材１４および第２パネル保持部材２４に保持される。具体的には背面パネル４０は、左右の両端部が背面パネル差込溝１４２，２４２にそれらの上端開口から差し込まれ、下方にスライドされる。そして背面パネル４０は、左右の両端部が背面パネル差込溝１４２，２４２の下端に載置されることにより、第１パネル保持部材１４および第２パネル保持部材２４に保持される。
【００２０】
天板５０は、本実施の形態ではアルミダイカスト製であり、平面視で略矩形状に形成される。天板５０は、前面パネル３０、背面パネル４０、第１パネル保持部材１４および第２パネル保持部材２４に囲まれる空間７０の上側の開口を覆う。天板５０は特に、前面パネル３０、背面パネル４０、第１パネル保持部材１４、第２パネル保持部材２４、第１支柱本体および第２支柱本体の各上面を覆う。天板５０は、ネジにより第１パネル保持部材１４および第２パネル保持部材２４に固定される。なお、空間７０の下側の開口は、宅配ボックス６６により覆われる。
【００２１】
表札６０は、前面パネル３０の前面３０ａに固定される。インターホン６２は空間７０に収納されて前面パネル３０に固定される。照明装置６４は、前面パネル３０を照らすための照明であり、前面パネル３０に載置され、後述するように保持される。インターホン６２および照明装置６４には、第１支柱本体１２または第２支柱本体２２の内側を通して空間７０まで引き延ばされた配線が接続される。宅配ボックス６６は、第１支柱１０と第２支柱２０との間であって、前面パネル３０および背面パネル４０の下方に設けられる。
【００２２】
つづいて、以上説明した門柱１の効果を説明する。
本実施の形態によれば、第１パネル保持部材１４および第２パネル保持部材２４が、前面パネル３０および背面パネル４０を保持するための保持構造（例えば溝）を有する。つまり、本実施の形態によれば、比較的大きい部材である第１支柱本体１２および第２支柱本体２２に保持構造を形成する必要がないため、製造コストを低減できる。また、第１支柱本体１２および第２支柱本体２２は押出形材であるため、第１支柱本体１２および第２支柱本体２２に保持構造を形成すると、第１支柱本体１２および第２支柱本体２２の全体に保持構造が形成されてしまい、意匠性が低下する。本実施の形態によれば、これを抑止できる。
【００２３】
また本実施の形態によれば、第２支柱本体２２および第２パネル保持部材２４は樹脂製であるため、容易に、しかも低コストでそれらに保持構造を形成できる。そのため、第１支柱本体１２および第２支柱本体２２に保持構造を形成する場合と比べて、低コストできる。
【００２４】
また本実施の形態によれば、前面パネル３０および背面パネル４０は、第１パネル保持部材１４および第２パネル保持部材２４に形成された差込溝に差し込んでスライドさせることで組み付けられるため、現場での門柱１の組立が容易となり、より短時間で門柱１を組み立てることができる。
【００２５】
また本実施の形態によれば、第１支柱本体１２、第２支柱本体２２はホロー材であり、互いに対向する面の一部が切り欠かれており、その切り欠き部分に第１パネル保持部材１４、第２パネル保持部材２４が嵌合される。そのため、第１支柱本体１２、第２支柱本体２２に第１パネル保持部材１４、第２パネル保持部材２４を嵌合するための凹部を形成する必要がないため、製造コストを低減できる。
【００２６】
つづいて、門柱１の他の特徴を説明する。
【００２７】
図７（ａ）〜（ｃ）は、天板５０と第２支柱本体２２との当接部分を示す図である。図７（ａ）は、天板５０と第２支柱本体２２との当接部分を前方から見た斜視図であり、図７（ｂ）は、天板５０と第２支柱本体２２との当接部分の正面図であり、図７（ｃ）は、天板５０と第２支柱本体２２との当接部分を右側から見た側面図である。
【００２８】
各支柱本体は、それらの上端面が長手方向（上下方向）に対して４５度をなすように形成されている。各支柱本体は、上述したように押出形材であるため、切削等することにより上端面が長手方向に対して４５度をなすように形成される。また天板５０は、それらの左右の端面が長手方向（左右方向）に対して４５度をなすように形成されている。天板５０の左側の端面と第１支柱本体１２の上端面とが当接し、天板５０の右側の端面と第２支柱本体２２の上端面とが当接する。
【００２９】
ところで、各支柱本体の上端面は、切削等されているため、エッジが比較的鋭利となる。ここで、仮に天板５０も押出形材であり、左右の端面が切削等されている場合は、支柱本体と天板５０との間に、それらの端面よりも外側に突出するように樹脂部材を挟むことで、人が各端面の鋭利なエッジに触れるのを防止できる。しかしながら、これは門柱１の意匠性を低下させる。
【００３０】
これに対し、本実施の形態の天板５０は、アルミダイカスト製であり、左右の端面のエッジが丸くなるように形成される。また天板５０は、図７（ａ）〜（ｃ）に示すように、支柱本体の上端面のエッジよりも外側に突出して支柱本体の上端面を完全に覆うように形成される。これにより、意匠性を確保しつつ、人が支柱本体の上端面の鋭利なエッジに触れるのを防止できる。
【００３１】
図８は、門柱の上側部分の鉛直断面図である。図８では、第１パネル保持部材１４の取付部１４３を通る断面を示す。前面パネル３０の背面３０ｂには、左右に延在する２つの板状のリブ３２,３３が、上下に所定の間隔をあけて立設されている。第１パネル保持部材１４は、２つのリブ３２,３３の隙間と対向する位置に挿通穴１４３ａが形成された取付部１４３を有する。ネジ（不図示）を取付部１４３の挿通穴１４３ａを挿通させて２つのリブ３２,３３の間にねじ込むと、ネジは、リブ３２,３３を削りながら２つのリブ３２,３３の間に進入し、リブ３２,３３に螺合する。これにより、前面パネル３０が第１パネル保持部材１４に固定される。同様にして、前面パネル３０は第２パネル保持部材２４にも固定される。この場合、前面パネル３０に丸穴加工やネジ加工が不要となる。一方、リブ３２,３３は、押出成形時に形成できる。このため、製造コストが抑えられる。
【００３２】
図９（ａ）、（ｂ）はそれぞれ、第１パネル保持部材１４の背面パネル差込溝１４２を示す。図９（ａ）、（ｂ）は、図６（ｂ）の点線で囲んだ部分に対応する。図９（ａ）は、背面パネル４０を背面パネル差込溝１４２に差し込む前の状態を示し、図９（ｂ）は、背面パネル４０を背面パネル差込溝１４２に差し込んだ後の状態を示す。背面パネル差込溝１４２は、他の部分よりも幅が狭い幅狭部１４２ａを有する。幅狭部１４２ａの幅は、背面パネル差込溝１４２に背面パネル４０を差し込む前の状態では、すなわち設計上は、背面パネル４０の幅よりも幅が狭くなっている。幅狭部１４２ａ以外の部分の幅は、背面パネル４０の幅よりも広くなっている。背面パネル４０を背面パネル差込溝１４２に差し込むと、幅狭部１４２ａを構成する内壁が凹むあるいは削れる等して、幅狭部１４２ａの幅が背面パネル４０の幅と実質的に同じに、言い換えると幅狭部１４２ａと背面パネル４０との隙間が実質的にゼロになる。これにより、背面パネル４０のがたつきが抑止される。なお、背面パネル差込溝１４２が有する幅狭部の数は特に限定されない。また、ここでは代表して背面パネル差込溝１４２について説明したが、他の差込溝も同様の幅狭部を有する。
【００３３】
図１０は、門柱の上側部分の鉛直断面図である。図１０では、突出部５０ｂ（後述）を通る断面を示す。図１１は、天板５０および照明装置６４を下方から見た斜視図である。図２、図４、図１０および図１１を参照する。
【００３４】
照明装置６４は、ネジ等の固定部材を用いずに保持される。具体的には、照明装置６４は、複数の部材が当該照明装置６４に当接することによりその前後左右上下の移動が規制されることで、それら複数の部材により保持される。
【００３５】
本実施の形態では、第１パネル保持部材１４は、先端が照明装置６４の前方に位置するように右側に突出する突出部１４４を有する。第２パネル保持部材２４は、先端が照明装置６４の前方に位置するように左に突出する突出部２４４を有する。これにより、照明装置の前方への移動が規制される。また天板５０は、照明装置６４を左右に挟み込むように下方に突出する一対の突出部５０ａを有する。これにより、照明装置６４の左右に移動が規制される。また、天板５０は、照明装置６４の後端に形成された段部６４ａに進入する突出部５０ｂを有する。これにより、照明装置６４の上方および後方への移動が規制される。さらに照明装置６４は前面パネル３０に載置されているため、下方への移動が規制される。以上より、照明装置６４は前後左右上下の移動が規制される。つまり、照明装置６４が保持される。
【００３６】
図１２（ａ）、（ｂ）は、第１パネル保持部材１４とカバー１６とを示す斜視図である。図１２（ｂ）では、第１パネル保持部材１４とカバー１６とを分離させた状態を示す。図１、図２、図５、図６および図１２（ａ）、（ｂ）を参照する。
【００３７】
第１支柱１０、第２支柱２０はそれぞれ、カバー１６,２６をさらに備える。カバー１６，２６は、上下に長い部材である。カバー１６，２６の長手方向に沿った断面形状は、後方が開いた角張った略Ｕ字状を有する。カバー１６は、前面パネル差込溝１４１よりも前方側の第１パネル保持部材１４の部分を覆う。同様に、カバー２６は、前面パネル差込溝２４１よりも前方側の第２パネル保持部材２４の部分を覆う。カバー１６，２６は、支柱本体に形成された切り欠き部分から露出する。したがって、例えばカバー１６，２６の色およびデザインを前面パネル３０の色およびデザインと同じにすることで、立体的な見た目を実現できる。もちろん、カバー１６，２６の色やデザインを、前面パネル３０の色やデザインとも支柱本体の色やデザインとも異ならせてもよい。
【００３８】
また、前面パネル３０の前面３０ａには表札６０が取り付けられ、表札６０が前に突出しすぎないように、前面パネル３０は支柱本体の前端から奥まった位置に取り付けられる。具体的には、第１支柱本体１２および第２支柱本体２２の前端から前面パネル３０（言い換えると前面パネル差込溝１４１,２４１）までの前後方向の距離Ｌ１は、第１支柱本体１２および第２支柱本体２２の後端から後端パネル（言い換えると背面パネル差込溝１４２,２４２）までの距離Ｌ２よりも長くなる（図５参照）。
【００３９】
この場合、意匠性を確保すべく第１パネル保持部材１４が露出しないように第１支柱本体１２で隠そうとすると、第１支柱本体１２の切り欠きを画定する前後両端の張出部１２ｂ，１２ｃ（図５参照）について、前方側の張出部１２ｂを、後方側の張出部１２ｃよりも前後に長くする必要がある。同様に、意匠性を確保すべく第２パネル保持部材２４が露出しないように第２支柱本体２２で隠そうとすると、第２支柱本体２２の切り欠きを画定する前後両端の張出部２２ｂ，２２ｃについて、前方側の張出部２２ｂを、後方側の張出部２２ｃよりも前後に長くする必要がある。この場合、第１支柱本体１２と第２支柱本体２２とが異なる（左右対称の）形状となる。
【００４０】
これに対し、本実施の形態では、前面パネル差込溝１４１よりも前方側の第１パネル保持部材１４の部分は、カバー１６で覆われているため、その部分を第１支柱本体１２で隠す必要がなく、したがって、第１支柱本体１２の張出部１２ｂ，１２ｃの長さを同じにできる。同様に、背面パネル差込溝１４２よりも前方側の第２パネル保持部材２４の部分は、カバー２６で覆われているため、その部分を第２支柱本体２２で隠す必要がなく、したがって、第２支柱本体２２の張出部２２ｂ，２２ｃの長さを同じにできる。つまり、第１支柱本体１２と第２支柱本体２２とを同一の形状（同一の部材）にできる。これにより、第１支柱本体１２と第２支柱本体２２の加工が共通になるため生産性が向上する。また、組み立て時に支柱本体が第１支柱本体１２であるか第２支柱本体２２であるかを気にする必要がないため、組み立て性が向上する。
【００４１】
つづいて、門柱１の組み立て手順を説明する。ここでは、第１支柱本体１２および第２支柱本体２２の設置と宅配ボックス６６の取り付けまでは完了しているものとする。
（１）第１支柱本体１２に第１パネル保持部材１４を固定し、第２支柱本体２２に第２パネル保持部材２４を固定する。
（２）表札６０やインターホンが固定された前面パネル３０を、前面パネル差込溝１４１，２４１にそれらの上端開口から挿入する。
（３）ネジで前面パネル３０と第１パネル保持部材１４および第２パネル保持部材２４とを固定する。
（４）前面パネル３０に照明装置６４を配置する。
（５）第１支柱本体１２または第２支柱本体２２の内側を通して空間７０まで引き延ばされた配線をインターホン６２や照明装置６４に接続する。
（６）背面パネル４０を背面パネル差込溝１４２，２４２にそれらの上端開口から挿入する。
（７）天板５０を被せてネジで固定する。
【００４２】
なお、逆の手順で門柱１を分解することができる。
【００４３】
以上、実施の形態に係る門柱について説明した。この実施の形態は例示であり、各構成要素の組み合わせにいろいろな変形例が可能なこと、またそうした変形例も本発明の範囲にあることは当業者に理解されるところである。
【００４４】
支柱本体がホロー形材である場合について説明したが、これに限られない。例えば、支柱本体をソリッド形材として形成し、その上端部に、パネル保持部品が嵌る凹部を形成してもよい。また例えば、内側が開いた角張ったＵ字状に形成してもよい。
【００４５】
以上説明した実施の形態および変形例により具体化される発明を一般化すると、以下の技術的思想が導かれる。
本発明のある態様の門柱は、第１、第２支柱と、第１、第２支柱の間に設けられる第１パネルと、第１パネルと間隔をあけて設けられる第２パネルと、第１支柱、第２支柱、第１パネルおよび第２パネルに囲まれる空間の上側の開口を覆う天板と、を備える。第１、第２支柱はそれぞれ、支柱本体と、支柱本体に固定されるパネル保持部材と、を含み、第１、第２支柱の各パネル保持部材は、第１、第２パネルを保持するための保持構造を有する。この態様によると、比較的大きい部材である第１支柱本体および第２支柱本体に保持構造を形成する必要がないため、製造コストを低減できる。
【００４６】
第１、第２支柱は、ホロー材で、互いに対向する面の一部が切り欠かれており、第１、第２支柱の各パネル保持部は、第１、第２支柱の切り欠き部分に嵌合されていてもよい。この態様によると、第１支柱本体にパネル保持部材を嵌合するための凹部を形成する必要がないため、製造コストを低減できる。
【００４７】
第１、第２支柱の各パネル保持部材には、互いに対向する面に、上下に延びる、上端が開口し下端が塞がった溝が形成されており、第１パネルは、水平方向における両端がそれぞれ、第１、第２支柱の各パネル保持部材の各溝に収容されていてもよい。
【００４８】
溝は、他の部分よりも幅狭な幅狭部を有してもよい。幅狭部の幅は、設計上、第１パネルの幅よりも狭い。この場合、第１パネルのがたつきを抑えることができる。
【００４９】
前面パネルを照射するための照明装置をさらに備えてもよい。照明装置は、複数の部材によって移動が規制されることにより保持されていてもよい。この場合、ネジ等の固定部材を用いずに照明装置を保持することが可能となる。
【符号の説明】
【００５０】
１  門柱、  １０  第１支柱、  １２  第１支柱本体、  １４  第１パネル保持部材、  ２０  第２支柱、  ２２  第２支柱本体、  ２４  第２パネル保持部材、  ３０  前面パネル、  ４０  背面パネル、  ５０  天板、  ７０  空間。
【図１】
2019178595.tif 000003
【図２】
2019178595.tif 000004
【図３】
2019178595.tif 000005
【図４】
2019178595.tif 000006
【図５】
2019178595.tif 000007
【図６】
2019178595.tif 000008
【図７】
2019178595.tif 000009
【図８】
2019178595.tif 000010
【図９】
2019178595.tif 000011
【図１０】
2019178595.tif 000012
【図１１】
2019178595.tif 000013
【図１２】
2019178595.tif 000014